(57)【要約】【課題】給湯温度と目標値との差が大きくなることを防止することに有利な貯湯式給湯装置を提供する。【解決手段】貯湯式給湯装置は、沸上回路とバイパス回路とを切り替える出湯切替弁２６と、給湯温度を調整する一般給湯側電動混合弁７と、ヒートポンプユニット２により加熱された湯を沸上回路により貯湯タンク１の上部に流入させる沸上運転と、沸上運転の前にバイパス回路に水を循環させるバイパス運転とを制御する制御部２４とを備える。制御部２４は、一般給湯側電動混合弁７から給湯先への給湯動作が実行中であるときに沸上運転を開始する場合には、第一のバイパス運転時間だけバイパス運転を実行し、給湯動作が実行中でないときに沸上運転を開始する場合には、第一のバイパス運転時間よりも長い第二のバイパス運転時間だけバイパス運転を実行するバイパス運転時間変更制御を実施可能である。【選択図】図１
2019219156.tif 000002
【特許請求の範囲】
【請求項１】
貯湯タンクと、
水を加熱する加熱手段と、
前記貯湯タンクの下部から取り出した水を、前記加熱手段を経由して前記貯湯タンクの上部に流入させる沸上回路と、
前記貯湯タンクの下部から取り出した水を、前記加熱手段を経由して前記貯湯タンクの下部に流入させるバイパス回路と、
前記沸上回路と前記バイパス回路とを切り替える切替弁と、
前記貯湯タンクの上部から供給される第一温水と、前記第一温水よりも温度の低い第二温水とを混合することにより給湯温度を調整する混合弁と、
前記加熱手段により加熱された湯を前記沸上回路により前記貯湯タンクの上部に流入させる沸上運転と、前記沸上運転の前に前記バイパス回路に水を循環させるバイパス運転とを制御する制御部と、
を備え、
前記制御部は、前記混合弁から給湯先への給湯動作が実行中であるときに前記沸上運転を開始する場合には、第一のバイパス運転時間だけ前記バイパス運転を実行し、前記給湯動作が実行中でないときに前記沸上運転を開始する場合には、前記第一のバイパス運転時間よりも長い第二のバイパス運転時間だけ前記バイパス運転を実行するバイパス運転時間変更制御を実施可能である貯湯式給湯装置。
【請求項２】
貯湯タンクと、
水を加熱する加熱手段と、
前記貯湯タンクの下部から取り出した水を、前記加熱手段を経由して前記貯湯タンクの上部に流入させる沸上回路と、
前記貯湯タンクの上部から供給される第一温水と、前記第一温水よりも温度の低い第二温水とを混合することにより給湯温度を調整する混合弁と、
前記加熱手段により加熱された湯を前記沸上回路により前記貯湯タンクの上部に流入させる沸上運転と、前記混合弁から給湯先への給湯が実行中でないときの前記混合弁の開度である待機開度とを制御する制御部と、
前記貯湯タンクの上部にある湯の温度であるタンク上部温度を検出するタンク上部温度検出手段と、
前記加熱手段から流出する湯の温度である出湯温度を検出する出湯温度検出手段と、
前記第二温水の温度を検出する第二温水温度検出手段と、
を備え、
前記制御部は、前記沸上運転が実行中かつ前記出湯温度が前記タンク上部温度よりも低い場合には前記タンク上部温度と前記第二温水の温度とに基づいて前記待機開度を調整し、前記沸上運転が実行中かつ前記出湯温度が前記タンク上部温度以上である場合には前記出湯温度と前記第二温水の温度とに基づいて前記待機開度を調整する混合弁開度変更制御を実施可能である貯湯式給湯装置。
【請求項３】
前記制御部は、前記給湯動作が実行中でないときに前記沸上運転を開始する場合であって、前回の前記給湯動作の終了時から経過した時間が基準に達している場合には、前記第一のバイパス運転時間だけ前記バイパス運転を実行する請求項１に記載の貯湯式給湯装置。
【請求項４】
前記制御部は、前記給湯動作が実行中であるときに開始された前記バイパス運転の最中に前記給湯動作が停止した場合には、前記第二のバイパス運転時間だけ前記バイパス運転を実行する請求項１または請求項３に記載の貯湯式給湯装置。
【請求項５】
前記制御部は、前記給湯動作が実行中であるときに開始された前記バイパス運転の後の前記沸上運転の最中であって、当該バイパス運転の開始から経過した時間が前記第二のバイパス運転時間に達する前に前記給湯動作が停止した場合には、前記バイパス運転を再開する請求項１、請求項３及び請求項４のいずれか一項に記載の貯湯式給湯装置。
【請求項６】
前記制御部は、前記混合弁から給湯先への給湯動作の実行中に前記給湯温度が目標値に等しくなったときの前記混合弁の開度を給湯時安定開度として記憶可能であり、
前記制御部は、前記出湯温度と前記第二温水の温度とに基づいて前記待機開度を調整した場合には、記憶された前記給湯時安定開度の情報を消去する請求項２に記載の貯湯式給湯装置。
【請求項７】
前記バイパス運転時間変更制御を実施するか実施しないかを使用者が選択可能とする選択手段を備える請求項１、請求項３、請求項４、及び請求項５のいずれか一項に記載の貯湯式給湯装置。
【請求項８】
前記混合弁開度変更制御を実施するか実施しないかを使用者が選択可能とする選択手段を備える請求項２または請求項６に記載の貯湯式給湯装置。
【請求項９】
第一の運転モードと、前記第一の運転モードよりも省エネルギーを優先する第二の運転モードとに切り替え可能であり、
前記第二の運転モードが設定されている場合には、前記制御部は、前記バイパス運転時間変更制御を実施しない請求項１、請求項３、請求項４、請求項５、及び請求項７のいずれか一項に記載の貯湯式給湯装置。
【請求項１０】
第一の運転モードと、前記第一の運転モードよりも省エネルギーを優先する第二の運転モードとに切り替え可能であり、
前記第二の運転モードが設定されている場合には、前記制御部は、前記混合弁開度変更制御を実施しない請求項２、請求項６、及び請求項８のいずれか一項に記載の貯湯式給湯装置。
【発明の詳細な説明】
【技術分野】
【０００１】
本発明は、貯湯式給湯装置に関する。
【背景技術】
【０００２】
貯湯タンクに貯えた湯を用いて給湯を行う貯湯式給湯装置が広く用いられている。貯湯式給湯装置は、例えば、リモコンにて使用者が設定した温度で、蛇口、シャワー、浴槽等へ給湯する機能を有する。
【０００３】
特許文献１に開示された貯湯式給湯装置は、ヒートポンプユニットの水冷媒熱交換器で加熱された高温水を貯湯タンクの上部に戻すヒーポン戻り管と、ヒーポン往き管とを直接あるいは、貯湯タンクを介してバイパスするバイパス管を設け、沸上運転を開始するときには、水冷媒熱交換器の出口温水温度を検知する出口温度センサが所定温度を検知すると、バイパス管側への流通からヒーポン戻り管側への流通へと流路切替手段を制御するようにしている。
【先行技術文献】
【特許文献】
【０００４】
【特許文献１】特開２００９−２６４６１７号公報
【発明の概要】
【発明が解決しようとする課題】
【０００５】
沸上運転のときに、ヒートポンプユニットのような加熱手段から流出する湯水の温度が、貯湯タンク内の上部にある湯の温度よりも低い場合あるいは高い場合には、次回の給湯動作が行われたときに、給湯温度と目標値との差が大きくなる可能性がある。
【０００６】
本発明は、上述のような課題を解決するためになされたもので、給湯温度と目標値との差が大きくなることを防止することに有利な貯湯式給湯装置を提供することを目的とする。
【課題を解決するための手段】
【０００７】
本発明に係る貯湯式給湯装置は、貯湯タンクと、水を加熱する加熱手段と、貯湯タンクの下部から取り出した水を、加熱手段を経由して貯湯タンクの上部に流入させる沸上回路と、貯湯タンクの下部から取り出した水を、加熱手段を経由して貯湯タンクの下部に流入させるバイパス回路と、沸上回路とバイパス回路とを切り替える切替弁と、貯湯タンクの上部から供給される第一温水と、第一温水よりも温度の低い第二温水とを混合することにより給湯温度を調整する混合弁と、加熱手段により加熱された湯を沸上回路により貯湯タンクの上部に流入させる沸上運転と、沸上運転の前にバイパス回路に水を循環させるバイパス運転とを制御する制御部と、を備え、制御部は、混合弁から給湯先への給湯動作が実行中であるときに沸上運転を開始する場合には、第一のバイパス運転時間だけバイパス運転を実行し、給湯動作が実行中でないときに沸上運転を開始する場合には、第一のバイパス運転時間よりも長い第二のバイパス運転時間だけバイパス運転を実行するバイパス運転時間変更制御を実施可能であるものである。
また、本発明に係る貯湯式給湯装置は、貯湯タンクと、水を加熱する加熱手段と、貯湯タンクの下部から取り出した水を、加熱手段を経由して貯湯タンクの上部に流入させる沸上回路と、貯湯タンクの上部から供給される第一温水と、第一温水よりも温度の低い第二温水とを混合することにより給湯温度を調整する混合弁と、加熱手段により加熱された湯を沸上回路により貯湯タンクの上部に流入させる沸上運転と、混合弁から給湯先への給湯が実行中でないときの混合弁の開度である待機開度とを制御する制御部と、貯湯タンクの上部にある湯の温度であるタンク上部温度を検出するタンク上部温度検出手段と、加熱手段から流出する湯の温度である出湯温度を検出する出湯温度検出手段と、第二温水の温度を検出する第二温水温度検出手段と、を備え、制御部は、沸上運転が実行中かつ出湯温度がタンク上部温度よりも低い場合にはタンク上部温度と第二温水の温度とに基づいて待機開度を調整し、沸上運転が実行中かつ出湯温度がタンク上部温度以上である場合には出湯温度と第二温水の温度とに基づいて待機開度を調整する混合弁開度変更制御を実施可能であるものである。
【発明の効果】
【０００８】
本発明によれば、給湯温度と目標値との差が大きくなることを防止することに有利な貯湯式給湯装置を提供することが可能となる。
【図面の簡単な説明】
【０００９】
【図１】実施の形態１による貯湯式給湯装置を示す図である。
【図２】実施の形態１による貯湯式給湯装置のバイパス運転時間変更制御の制御動作を示すフローチャートである。
【図３】実施の形態１による貯湯式給湯装置の混合弁開度変更制御の制御動作を示すフローチャートである。
【発明を実施するための形態】
【００１０】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１１】
実施の形態１．
図１は、実施の形態１による貯湯式給湯装置を示す図である。図１に示すように、本実施の形態の貯湯式給湯装置は、水を加熱する加熱手段であるヒートポンプユニット２と、貯湯タンク１を有する貯湯ユニット４０とを備える。ヒートポンプユニット２と、貯湯ユニット４０との間は、ＨＰ往き配管４８と、ＨＰ戻り配管４９と、電気配線（図示省略）とを介して接続されている。ヒートポンプユニット２内には、圧縮機、給湯用熱交換器、膨張弁、空気熱交換器を順次冷媒配管で接続したヒートポンプ回路が備えられている。
【００１２】
貯湯タンク１は、湯水を貯留する。貯湯タンク１の内部では、温度による水の密度の差によって、上側が高温で下側が低温になる温度成層を形成することができる。説明の便宜上、貯湯タンク１について、上部、中間部、及び下部を定める。貯湯タンク１の中間部は、貯湯タンク１の上部と、貯湯タンク１の下部との間の高さの部分である。貯湯タンク１の容量の１／３ずつに相当する部分をそれぞれ上部、中間部、下部とみなしてもよいし、それとは異なる位置を境に上部、中間部、及び下部を定めてもよい。貯湯タンク１において上側から順に上部、中間部、下部の順になっていればよい。なお、貯湯タンク１が、管を介して直列に接続された複数のタンクを備える場合には、最上位のタンクから最下位のタンクまでの複数のタンク全体の階層において、上部、中間部、及び下部を定めればよい。
【００１３】
貯湯タンク１の外面には、貯湯タンク１の最上部からの容積が、例えば０Ｌ、５０Ｌ、１００Ｌ、１５０Ｌ、１７０Ｌ、２２０Ｌの各位置に、第１の温度センサ５ａ、第２の温度センサ５ｂ、第３の温度センサ５ｃ、第４の温度センサ５ｄ、第５の温度センサ５ｅ、第６の温度センサ５ｆがそれぞれ設けられており、各位置で水温を検出する。第１の温度センサ５ａ、第２の温度センサ５ｂ、第３の温度センサ５ｃ、第４の温度センサ５ｄ、第５の温度センサ５ｅ、及び第６の温度センサ５ｆは、貯湯タンク１内の残湯熱量を検出する残湯熱量検出手段として機能する。ＨＰ往き配管４８には、ヒートポンプユニット２への入水温度を検出する第７の温度センサ５ｇが設けられている。
【００１４】
貯湯ユニット４０内には、循環ポンプ４、一般給湯側電動混合弁７、高温配管８、給水管９、風呂給湯側電動混合弁１１、風呂用電磁弁１３、風呂循環ポンプ１４、入水切替弁１７、給湯用流量センサ１９、給湯用温度センサ２０、風呂用流量センサ２１、風呂用温度センサ２２、給水温度センサ２３、出湯切替弁２６、中温戻し切替弁２７、中温取出切替弁２８、中温配管３０などがさらに備えられている。
【００１５】
給水管９の上流は、例えば水道管のような水源に接続されている。給水管９の下流側は、給水管９ａ及び給水管９ｂに分岐している。給水管９ａは、貯湯タンク１の下部に接続されている。水源から供給される低温水が給水管９ａから貯湯タンク１の下部に流入することで、貯湯タンク１内は満水状態に維持される。
【００１６】
中温取出切替弁２８は、中温入口２８ａ、低温入口２８ｂ、及び水出口２８ｃを有する。低温入口２８ｂに給水管９ｂが接続されている。中温入口２８ａに中温配管３０の一端が接続されている。高温配管８の上流部は、貯湯タンク１の上部にある第一位置１ａにて貯湯タンク１内に連通する。中温配管３０の他端は、第一位置１ａよりも低位にある第二位置１ｂにて貯湯タンク１内に連通する。第二位置１ｂは、給水管９ａが接続された貯湯タンク１の下部よりも上位にある。すなわち、第二位置１ｂは、貯湯タンク１の上部と下部との間の中間部にある。
【００１７】
貯湯タンク１から中温配管３０を通って供給される中温水が中温入口２８ａに流入する。当該中温水よりも温度の低い低温水が低温入口２８ｂに流入する。本実施の形態では、水源から給水管９ｂを通って供給される低温水が低温入口２８ｂに流入する。中温取出切替弁２８は、「中温位置」と「低温位置」とに流路を切り替え可能である。「中温位置」では、中温入口２８ａが水出口２８ｃへ連通し、低温入口２８ｂが遮断される。「中温位置」のときには、中温配管３０からの中温水が水出口２８ｃへ流れる。「低温位置」では、低温入口２８ｂが水出口２８ｃへ連通し、中温入口２８ａが遮断される。「低温位置」のときには、給水管９ｂからの低温水が水出口２８ｃへ流れる。
【００１８】
一般給湯側電動混合弁７は、湯側入口７ａ、水側入口７ｂ、及び湯出口７ｃを備える。風呂給湯側電動混合弁１１は、湯側入口１１ａ、水側入口１１ｂ、及び湯出口１１ｃを備える。高温配管８の下流部は、湯側入口７ａ及び湯側入口１１ａのそれぞれに連通している。中温取出切替弁２８の水出口２８ｃは、水側入口７ｂ及び水側入口１１ｂのそれぞれに連通している。
【００１９】
第一給湯管１０の一端は、湯出口７ｃに接続されている。一般給湯側電動混合弁７は、貯湯タンク１から高温配管８を通って供給される第一温水と、中温取出切替弁２８の水出口２８ｃからの第二温水とを混合する。第二温水は、第一温水よりも温度が低い。このため、一般給湯側電動混合弁７が第一温水と第二温水との混合比を調整することにより、給湯温度を調整できる。一般給湯側電動混合弁７にて温度調節された湯は、第一給湯管１０に流入する。第一給湯管１０を通る湯は、例えば蛇口、シャワーのような給湯先へ供給される。
【００２０】
第二給湯管１８の一端は、湯出口１１ｃに接続されている。風呂給湯側電動混合弁１１は、貯湯タンク１から高温配管８を通って供給される第一温水と、中温取出切替弁２８の水出口２８ｃからの第二温水とを混合し、温度調節する。その温度調節された湯は、第二給湯管１８に流入する。
【００２１】
給水管９には、給水温度センサ２３が設けられている。給水温度センサ２３は、給水管９を流れる水の温度である給水温度を検出する。第一給湯管１０には、給湯用流量センサ１９及び給湯用温度センサ２０が設けられている。給湯用流量センサ１９は、第一給湯管１０を流れる湯水の流量を検出する。給湯用温度センサ２０は、第一給湯管１０を流れる湯水の温度を検出する。第二給湯管１８には、風呂用電磁弁１３、風呂用流量センサ２１、及び風呂用温度センサ２２が設けられている。風呂用電磁弁１３は、第二給湯管１８を開閉する開閉弁に相当する。風呂用流量センサ２１は、第二給湯管１８を流れる湯水の流量を検出する。風呂用温度センサ２２は、第二給湯管１８を流れる湯水の温度を検出する。
【００２２】
第二給湯管１８は、風呂側循環回路１２に接続されている。貯湯ユニット４０内には熱交換器１５が配置されている。風呂側循環回路１２は、貯湯式給湯装置の外部の浴室にある浴槽（図示省略）から浴水を引き込み、熱交換器１５を経由した浴水を浴槽内に戻すことのできる経路である。風呂側循環回路１２の途中に接続された風呂循環ポンプ１４を運転すると、浴槽から浴水が風呂側循環回路１２を通過して浴槽に戻るように循環する。熱交換器１５は、浴水と、熱媒体との間で熱を交換する。熱媒体は、例えば、貯湯タンク１から供給される湯水である。
【００２３】
貯湯ユニット４０から浴槽に湯を注入する湯張り動作を行うときには、以下のようになる。風呂用電磁弁１３が開かれる。風呂給湯側電動混合弁１１で温度調節された湯は、第二給湯管１８及び風呂側循環回路１２を通って、浴槽に流入する。風呂用電磁弁１３が閉じると、湯張り動作が終了する。
【００２４】
入水切替弁１７は、入口となるａポート及びｂポートと、出口となるｃポートとを有する流路切替手段である。入水切替弁１７は、ａ−ｃ、ｂ−ｃの２つの経路の間で流路切替可能に構成されている。
【００２５】
出湯切替弁２６は、入口となるａポート及びｂポートと、出口となるｃポート及びｄポートとを有する流路切替手段である。出湯切替弁２６は、ａ−ｃ、ａ−ｄ、ｂ−ｃ、ｂ−ｄの４つの経路の間で流路切替可能に構成されている。
【００２６】
中温戻し切替弁２７は、入口となるａポートと、出口となるｂポート、ｃポート、及びｄポートとを有する流路切替手段である。中温戻し切替弁２７は、ａ−ｂ、ａ−ｃ、ａ−ｄの３つの経路の間で流路切替可能に構成されている。
【００２７】
貯湯ユニット４０は、バイパス配管３２、配管４１、配管４２、配管４３、配管４５、配管４６、及び配管４７をさらに備えている。バイパス配管３２は、出湯切替弁２６のｃポートと、貯湯タンク１の下部との間を接続する。配管４１は、貯湯タンク１の下部と、入水切替弁１７のａポートとの間を接続する。配管４２は、入水切替弁１７のｃポートと、循環ポンプ４の入口との間を接続する。ＨＰ往き配管４８は、循環ポンプ４の出口と、ヒートポンプユニット２の入口との間を接続する。ＨＰ戻り配管４９は、ヒートポンプユニット２の出口と、出湯切替弁２６のｂポートとの間を接続する。配管４３は、出湯切替弁２６のｄポートと、中温戻し切替弁２７のａポートとの間を接続する。配管４５は、中温戻し切替弁２７のｂポートと、貯湯タンク１の上部の温水導入出口１ｃとの間を接続する。配管４６は、中温戻し切替弁２７のｄポートと、高温配管８の途中の位置との間を接続する。配管４７は、中温戻し切替弁２７のｃポートと、貯湯タンク１の中間部に設けられた温水導入口１ｄとの間を接続する。
【００２８】
以下の説明では、ヒートポンプユニット２から流出する湯の温度を「出湯温度」と称する。温水導入出口１ｃの近くに出湯温度センサ６が設けられている。出湯温度センサ６は、出湯温度を検出する出湯温度検出手段に相当する。本実施の形態における出湯温度センサ６は、ヒートポンプユニット２によって加熱されて貯湯タンク１の上部に戻される湯の温度を検出する。図示の構成に変えて、出湯温度センサ６は、例えば配管４３、配管４５、またはＨＰ戻り配管４９に配置されていてもよい。
【００２９】
第一タンク循環配管１６は、配管４５の途中の位置と、熱交換器１５の熱媒体の入口との間を接続する。第二タンク循環配管５０は、熱交換器１５の熱媒体の出口と、入水切替弁１７のｂポートとの間を接続する。配管５１は、ＨＰ往き配管４８における循環ポンプ４とヒートポンプユニット２の入口との間から分岐し、出湯切替弁２６のａポートに接続される。風呂熱回収配管３１は、第二タンク循環配管５０の途中の位置から分岐して、中温配管３０の途中の位置に接続されている。
【００３０】
本実施の形態の貯湯式給湯装置は、制御手段としての制御部２４を備える。制御部２４は、上述した各アクチュエータ及び各センサと電気的に接続されている。後述する沸上運転及びバイパス運転を含む貯湯式給湯装置の各種の運転は、制御部２４により制御される。制御部２４は、例えば、少なくとも１つのプロセッサと少なくとも１つのメモリとを有する処理回路を備えたものでもよい。
【００３１】
制御部２４と、リモコン２５との間は、有線通信または無線通信により、双方向に通信可能である。制御部２４と、リモコン２５とが、ネットワークを介して通信可能でもよい。リモコン２５は、ユーザーインターフェースの例である。リモコン２５は、ユーザーが操作する操作部と、情報を表示する表示部２５ａとを有する。リモコン２５は、操作部及び表示部２５ａの両方の機能を有するタッチスクリーンを備えてもよい。ユーザーは、リモコン２５を操作することで、貯湯式給湯装置を遠隔操作し、各種の設定などを行うことが可能である。リモコン２５の表示部２５ａは、ユーザーに情報を報知する報知手段としての機能を有する。本実施の形態におけるリモコン２５は、表示部２５ａを報知手段として備えるが、変形例として、例えば音声案内装置のような他の報知手段を備えてもよい。
【００３２】
本実施の形態において、リモコン２５は、例えば台所、リビング、浴室などの壁に設置されたものでもよい。または、例えばスマートフォンのような携帯情報端末がリモコン２５のようなユーザーインターフェースとしての機能を有するように構成してもよい。複数のリモコン２５が制御部２４に対して通信可能でもよい。
【００３３】
ユーザーは、リモコン２５を操作することで、一般給湯側電動混合弁７についての設定温度及び風呂給湯側電動混合弁１１についての設定温度をそれぞれ変更できる。以下の説明では、一般給湯側電動混合弁７についての設定温度を「給湯設定温度」と呼び、風呂給湯側電動混合弁１１についての設定温度を「湯張り設定温度」と呼ぶ。
【００３４】
本実施の形態の貯湯式給湯装置は、ヒートポンプユニット２で加熱された湯を貯湯タンク１の上部に流入させる沸上運転を実行できる。沸上運転では、以下のようになる。ヒートポンプユニット２及び循環ポンプ４が運転される。貯湯タンク１の下部から取り出された水が、配管４１、入水切替弁１７、配管４２、循環ポンプ４、及びＨＰ往き配管４８を通ってヒートポンプユニット２内に導かれる。ヒートポンプユニット２内で加熱された湯は、ＨＰ戻り配管４９、出湯切替弁２６、配管４３、中温戻し切替弁２７、及び配管４５を通って、温水導入出口１ｃから貯湯タンク１に流入する。このように水が循環する回路は、貯湯タンク１の下部から取り出した水を、ヒートポンプユニット２を経由して貯湯タンク１の上部に流入させる沸上回路に相当する。沸上運転は、典型的には、深夜電力時間帯を中心に実施され、翌日に使用される分の湯を貯湯タンク１に貯える。
【００３５】
本実施の形態の貯湯式給湯装置は、沸上運転の前にバイパス運転を実行する。バイパス運転では、以下のようになる。ヒートポンプユニット２及び循環ポンプ４が運転される。貯湯タンク１の下部から取り出された水が、配管４１、入水切替弁１７、配管４２、循環ポンプ４、及びＨＰ往き配管４８を通ってヒートポンプユニット２内に導かれる。ヒートポンプユニット２内で加熱された湯は、ＨＰ戻り配管４９、出湯切替弁２６、及びバイパス配管３２を通って、貯湯タンク１の下部に流入する。このように水が循環する回路は、貯湯タンク１の下部から取り出した水を、ヒートポンプユニット２を経由して貯湯タンク１の下部に流入させるバイパス回路に相当する。本実施の形態では、出湯切替弁２６により、沸上回路とバイパス回路とを切り替えることができる。
【００３６】
ヒートポンプユニット２が起動されてからしばらくの間は、ヒートポンプユニット２が水を十分に加熱することができないので、十分な温度に達していない湯水がヒートポンプユニット２から流出する。沸上運転の前にバイパス運転を実行することにより、そのような加熱不十分の湯水が貯湯タンク１の上部に流入することを防止できるので、貯湯タンク１の上部に貯留されている高温水の温度が低下してしまうことを防止できる。
【００３７】
以下の説明では、一般給湯側電動混合弁７から給湯先へ給湯する動作を単に「給湯動作」と称する。制御部２４は、給湯用流量センサ１９によって、給湯動作の開始及び停止を検出することができる。給湯動作の実行中、制御部２４は、給湯用温度センサ２０で検出される給湯温度が、目標値である給湯設定温度に等しくなるように、一般給湯側電動混合弁７での混合比を調整することができる。すなわち、給湯動作の実行中、制御部２４は、給湯温度をフィードバック制御することができる。
【００３８】
一般給湯側電動混合弁７は、例えば、ステッピングモータにより回転する弁体を備え、当該弁体の回転によって湯側入口７ａの開口面積と水側入口７ｂの開口面積との比を変えることで、湯側入口７ａから流入する第一温水と、水側入口７ｂから流入する第二温水との混合比を調整できる。この混合比は、「一般給湯側電動混合弁７の開度」に応じて変化する。「一般給湯側電動混合弁７の開度」とは、例えば、上記ステッピングモータの回転位置に対応した数値で表される。制御部２４は、一般給湯側電動混合弁７の開度の情報を保持することができる。第一温水と第二温水との混合比は、一般給湯側電動混合弁７の開度に応じて変化するので、制御部２４は、当該混合比の情報を保持することができる。なお、風呂給湯側電動混合弁１１の構成は、上述した一般給湯側電動混合弁７の構成と同様である。
【００３９】
以下の説明では、給湯動作が実行中でないときの一般給湯側電動混合弁７の開度を「混合弁待機開度」と称する。本実施の形態における制御部２４は、混合弁待機開度を制御する機能を有する。
【００４０】
制御部２４は、給湯動作の実行中に、給湯用温度センサ２０で検出される給湯温度が目標値に等しくなったときの一般給湯側電動混合弁７の開度を「給湯時安定開度」として記憶可能である。制御部２４は、混合弁待機開度が、前回の給湯動作のときの給湯時安定開度に等しくなるように、混合弁待機開度を制御可能である。次回の給湯動作において、一般給湯側電動混合弁７に供給される第一温水及び第二温水の温度、並びに給湯設定温度が前回の給湯動作のときと同じであれば、混合弁待機開度を給湯時安定開度に等しくしておくことで、給湯動作の開始後に速やかに給湯温度を目標値に等しくすることができる。
【００４１】
本実施の形態における第１の温度センサ５ａは、貯湯タンク１の上部にある湯の温度であるタンク上部温度を検出するタンク上部温度検出手段に相当する。貯湯タンク１内の温度成層が安定しているときには、第１の温度センサ５ａにより検出されるタンク上部温度は、貯湯タンク１の上部から高温配管８を通って一般給湯側電動混合弁７に供給される第一温水の温度に等しいと考えることができる。
【００４２】
中温取出切替弁２８が低温位置にあるときには、給水管９からの低温水が第二温水として一般給湯側電動混合弁７に流入し、貯湯タンク１の上部からの第一温水と混合されて、給湯先へ供給される。この場合には、給水温度センサ２３により第二温水の温度を検出できる。すなわち、給水温度センサ２３は、第二温水の温度を検出する第二温水温度検出手段に相当する。
【００４３】
本実施の形態における第４の温度センサ５ｄは、第二位置１ｂと同じ高さ、またはほぼ同じ高さの位置にある。このため、第４の温度センサ５ｄで検出される温度は、貯湯タンク１から中温配管３０へ供給される中温水の温度に等しいとみなすことができる。中温取出切替弁２８が中温位置にあるときには、貯湯タンク１から中温配管３０へ流出した中温水が第二温水として一般給湯側電動混合弁７に流入し、貯湯タンク１の上部からの第一温水と混合されて、給湯先へ供給される。この場合には、第４の温度センサ５ｄにより第二温水の温度を検出できる。すなわち、第４の温度センサ５ｄは、第二温水の温度を検出する第二温水温度検出手段に相当する。
【００４４】
一般に、バイパス運転時間が長いほど、バイパス運転から沸上運転に移行したときの出湯温度が高くなりやすい。このため、低温の湯水が貯湯タンク１の上部に流入することを防止する観点からは、バイパス運転時間が長いことが好ましい。その一方で、バイパス運転時間が長いほど、バイパス運転中に貯湯タンク１の下部に流入する湯水の量が多くなるので、バイパス運転中にヒートポンプユニット２が生成した熱量の損失が多くなる。このため、省エネルギーの観点からは、バイパス運転時間が短いことが好ましい。
【００４５】
給湯動作と沸上運転との両方が実行されているときに、貯湯タンク１の上部にある湯よりも温度の低い湯水（以下、「低温流入水」と称する）が温水導入出口１ｃから貯湯タンク１の上部に流入した場合を考える。この場合には、貯湯タンク１の上部内の湯に低温流入水が徐々に混ざるとともに、貯湯タンク１の上部内の湯が第一位置１ａから高温配管８へ流出していく。このため、貯湯タンク１の上部から高温配管８を通って一般給湯側電動混合弁７へ供給される第一温水の温度は、比較的低下しにくい。その結果、給湯温度は低下しにくいので、給湯温度と目標値との差は大きくなりにくい。
【００４６】
一方、給湯動作が実行中でないときに、沸上運転により低温流入水が温水導入出口１ｃから貯湯タンク１の上部に流入した場合には、以下のようになる。この場合には、貯湯タンク１の上部内の湯が高温配管８へ流出しないので、貯湯タンク１の上部内に低温流入水が溜まっていき、貯湯タンク１の上部内の温度が大きく低下しやすい。貯湯タンク１の上部内の温度が大きく低下したタイミングで給湯動作が開始されると、前回の給湯動作のときよりも低い温度の第一温水が貯湯タンク１の上部から一般給湯側電動混合弁７へ供給される。その結果、給湯温度が低下しやすいので、給湯温度と目標値との差が大きくなりやすい。
【００４７】
本実施の形態における制御部２４は、バイパス運転時間変更制御を実施するバイパス運転時間変更手段２４ａと、混合弁開度変更制御を実施する混合弁開度変更手段２４ｂとを備える。本開示の貯湯式給湯装置は、バイパス運転時間変更制御と、混合弁開度変更制御とのいずれか一方のみを実施可能なものでもよい。すなわち、制御部２４は、バイパス運転時間変更手段２４ａと混合弁開度変更手段２４ｂとのいずれか一方のみを備えるものでもよい。
【００４８】
本実施の形態のバイパス運転時間変更制御において、制御部２４は、給湯動作が実行中であるときに沸上運転を開始する場合には、第一のバイパス運転時間だけバイパス運転を実行した後に沸上運転に移行する。また、バイパス運転時間変更制御において、制御部２４は、給湯動作が実行中でないときに沸上運転を開始する場合には、第一のバイパス運転時間よりも長い第二のバイパス運転時間だけバイパス運転を実行した後に沸上運転に移行する。このようなバイパス運転時間変更制御によれば、以下の効果が得られる。給湯動作が実行中のときには、前述したように、低温流入水が貯湯タンク１の上部に流入した場合であっても、給湯温度は低下しにくく、給湯温度と目標値との差は大きくなりにくい。このため、給湯動作が実行中のときには、バイパス運転時間を長くする必要性は少ないので、比較的短い第一のバイパス運転時間だけバイパス運転を実行する。これにより、省エネルギーが図れる。これに対し、給湯動作が実行中でないときには、低温流入水が貯湯タンク１の上部に流入すると、その後に給湯動作が開始された場合に、給湯温度が低下しやすく、給湯温度と目標値との差が大きくなりやすい。そのような事態を予防するために、給湯動作が実行中でないときには、比較的長い第二のバイパス運転時間だけバイパス運転を実行する。これにより、低温流入水が貯湯タンク１の上部に流入することを確実に抑制できるので、その後に給湯動作が開始された場合にも、給湯温度の低下を確実に抑制できる。
【００４９】
給湯動作が停止中であって沸上運転が実行中のときに、貯湯タンク１の上部内にある湯よりも温度の高い湯（以下、「高温流入水」と称する）が温水導入出口１ｃから貯湯タンク１の上部に流入した場合を考える。この場合に、給湯動作が開始されると、沸上運転の前に貯湯タンク１の上部内にあった湯よりも高い温度の湯が高温配管８を通って一般給湯側電動混合弁７へ供給される可能性があるので、給湯温度が目標値よりも高くなる可能性がある。
【００５０】
本実施の形態の混合弁開度変更制御において、制御部２４は、沸上運転が実行中で、出湯温度センサ６により検出される出湯温度が第１の温度センサ５ａにより検出されるタンク上部温度よりも低い場合には、タンク上部温度と、給水温度センサ２３または第４の温度センサ５ｄにより検出される第二温水の温度とに基づいて混合弁待機開度を調整する。すなわち、制御部２４は、タンク上部温度に等しい温度の第一温水と、第二温水とが混合されたと仮定した場合に給湯温度が目標値に等しくなる混合比となるように、混合弁待機開度を調整する。そのようにして調整された混合弁待機開度を以下「第一待機開度」と称する。
【００５１】
また、混合弁開度変更制御において、制御部２４は、沸上運転が実行中で、出湯温度センサ６により検出される出湯温度が第１の温度センサ５ａにより検出されるタンク上部温度以上である場合には、出湯温度と、給水温度センサ２３または第４の温度センサ５ｄにより検出される第二温水の温度とに基づいて混合弁待機開度を調整する。すなわち、制御部２４は、出湯温度に等しい温度の第一温水と、第二温水とが混合されたと仮定した場合に給湯温度が目標値に等しくなる混合比となるように、混合弁待機開度を調整する。そのようにして調整された混合弁待機開度を以下「第二待機開度」と称する。
【００５２】
沸上運転の実行中に高温流入水が貯湯タンク１の上部に流入しているときに給湯動作が開始された場合を考える。このときの混合弁待機開度が第一待機開度であったと仮定すると、第１の温度センサ５ａにより検出されるタンク上部温度よりも高い温度の湯が高温配管８を通って一般給湯側電動混合弁７へ供給される可能性があるので、給湯温度が目標値よりも高くなる可能性がある。これに対し、上述した混合弁開度変更制御によれば、沸上運転の実行中に高温流入水が貯湯タンク１の上部に流入した場合には、混合弁待機開度が第二待機開度に調整される。混合弁待機開度が第二待機開度に調整された状態で給湯動作が開始されると、高温流入水に等しい温度の湯が高温配管８を通って一般給湯側電動混合弁７へ供給されたとしても、給湯温度は目標値を超えることはない。このため、給湯温度が目標値よりも高くなることを確実に抑制できる。
【００５３】
図２は、実施の形態１による貯湯式給湯装置のバイパス運転時間変更制御の制御動作を示すフローチャートである。制御部２４は、沸上運転を実施する必要が生じた場合に、本フローチャートの処理を開始する。図２のステップＳ１で、バイパス運転時間変更手段２４ａは、給湯動作が実行中であるかどうかを判断する。給湯動作が実行中である場合には、ステップＳ３へ進み、バイパス運転時間変更手段２４ａは、バイパス運転を継続する予定時間を第一のバイパス運転時間に設定し、バイパス運転を実施する。
【００５４】
一方、ステップＳ１で給湯動作が実行中でない場合には、ステップＳ２へ進み、前回の給湯動作の終了時から所定時間が経過しているかどうかを判断する。前回の給湯動作の終了時からまだ所定時間が経過していない場合には、ステップＳ４へ進み、バイパス運転時間変更手段２４ａは、バイパス運転を継続する予定時間を第二のバイパス運転時間に設定し、バイパス運転を実施する。これに対し、前回の給湯動作の終了時から既に所定時間が経過している場合には、ステップＳ３へ進み、バイパス運転時間変更手段２４ａは、バイパス運転を継続する予定時間を第一のバイパス運転時間に設定し、バイパス運転を実施する。
【００５５】
上述したステップＳ２の「所定時間」は、例えば、給湯動作の停止中に第一給湯管１０内に滞留している湯が冷めてしまうまでの基準時間に相当している。本実施の形態において、バイパス運転時間変更手段２４ａは、給湯動作が実行中でないときに沸上運転を開始する場合であって、前回の給湯動作の終了時から経過した時間が上記基準時間に達している場合には、ステップＳ２及びステップＳ３の処理により、第一のバイパス運転時間だけバイパス運転を実行した後、沸上運転に移行する。これにより、以下の効果が得られる。前回の給湯動作の終了時から既に所定時間が経過している場合には、仮に第二のバイパス運転時間だけバイパス運転を実行したとしても、給湯動作が開始すると第一給湯管１０内の冷めた低温水がまず給湯先へ送られてしまうので、給湯先での給湯温度が低下することは避けられない。よって、バイパス運転を長い時間実行することによって得られる利益は比較的少ないと言える。そこで、この場合には、比較的短い第一のバイパス運転時間だけバイパス運転を実行することにより、省エネルギーを図ることができる。
【００５６】
上記のような制御に限らず、バイパス運転時間変更手段２４ａは、給湯動作が実行中でないときには、前回の給湯動作の終了時からの経過時間にかかわらず、第二のバイパス運転時間だけバイパス運転を実行してもよい。そのようにすることで、給湯動作が開始したときに給湯温度が目標値に等しくなるまでに要する時間を短縮する上で有利になる。
【００５７】
第一のバイパス運転時間は、少なくとも、ヒートポンプユニット２、ＨＰ戻り配管４９、及び出湯切替弁２６の内部に滞留していた水をバイパス配管３２を通して貯湯タンク１の下部に流入させるのに必要な時間であることが好ましい。第一のバイパス運転時間は、例えば９０秒でもよい。
【００５８】
第二のバイパス運転時間は、例えば、ヒートポンプユニット２、ＨＰ戻り配管４９、及び出湯切替弁２６の内部に滞留していた水をバイパス配管３２を通して貯湯タンク１の下部に流入させるのに必要な時間に、ヒートポンプユニット２から流出する湯の温度が所定温度まで上昇するのに必要な時間を加算した時間であることが好ましい。第二のバイパス運転時間は、例えば４００秒でもよい。
【００５９】
処理はステップＳ３またはステップＳ４からステップＳ５へ進む。ステップＳ５で、バイパス運転時間変更手段２４ａは、バイパス運転の開始からの経過時間が、ステップＳ３で設定された第一のバイパス運転時間またはステップＳ４で設定された第二のバイパス運転時間に達したかどうかを判断する。バイパス運転の開始からの経過時間が、設定されたバイパス運転時間にまだ達していない場合には、ステップＳ７に進み、バイパス運転時間変更手段２４ａは、出湯切替弁２６をバイパス側すなわちｂ−ｃポート間を連通させる状態に維持することにより、バイパス運転を継続する。これに対し、バイパス運転の開始からの経過時間が、設定されたバイパス運転時間に達した場合には、ステップＳ６に進み、バイパス運転時間変更手段２４ａは、出湯切替弁２６をタンク上部側すなわちｂ−ｄポート間を連通させる状態へ切り替える。これにより、バイパス運転から沸上運転へ移行する。
【００６０】
処理はステップＳ６またはステップＳ７からステップＳ８へ進む。ステップＳ８で、バイパス運転時間変更手段２４ａは、バイパス運転の開始からの経過時間が給湯停止監視時間に達したかどうかを判断する。給湯停止監視時間は、例えば、第二のバイパス運転時間に等しい値である。バイパス運転の開始からの経過時間が給湯停止監視時間に達している場合には、バイパス運転時間変更手段２４ａは、本フローチャートの処理を終了する。
【００６１】
これに対し、バイパス運転の開始からの経過時間が給湯停止監視時間にまだ達していない場合には、ステップＳ９へ進み、バイパス運転時間変更手段２４ａは、給湯動作が停止したことが検知されたかどうかを判断する。給湯動作が停止したことが検知されていない場合には、ステップＳ５に戻る。一方、ステップＳ９で給湯動作が停止したことが検知された場合には、ステップＳ１０へ進み、バイパス運転時間変更手段２４ａは、バイパス運転を継続する時間を第三のバイパス運転時間に設定する。第三のバイパス運転時間は、バイパス運転の開始時からステップＳ９で検知された給湯動作停止までの時間を第二のバイパス運転時間から引いた時間として設定される。ステップＳ１０からステップＳ１１へ進み、バイパス運転時間変更手段２４ａは、出湯切替弁２６がバイパス側すなわちｂ−ｃポート間を連通させる状態になるようにし、バイパス運転を実行する。ステップＳ１１の処理によれば、バイパス運転の実行中であった場合にはバイパス運転が継続されることになり、沸上運転の実行中であった場合には沸上運転を中断してバイパス運転が再開されることになる。ステップＳ１１からステップＳ５に戻る。
【００６２】
なお、ステップＳ１０で第三のバイパス運転時間が設定された場合には、ステップＳ５に戻ったとき、バイパス運転時間変更手段２４ａは、ステップＳ９で検知された給湯動作停止からの経過時間が第三のバイパス運転時間に達したかどうかを判断するものとする。
【００６３】
給湯動作が実行中であるときに開始されたバイパス運転の最中に給湯動作が停止した場合において、第一のバイパス運転時間が経過したときにバイパス運転から沸上運転に移行したと仮定すると、低温流入水が貯湯タンク１の上部に溜まる可能性がある。このため、その後に給湯動作が再開されると、給湯温度が低下しやすくなり、給湯温度と目標値との差が大きくなる可能性がある。これに対し、本実施の形態であれば、給湯動作が実行中であるときに開始されたバイパス運転の最中に給湯動作が停止した場合には、ステップＳ９からステップＳ１１の処理によって第三のバイパス運転時間が設定されることで、第二のバイパス運転時間に等しい時間だけバイパス運転が実行される。これにより、低温流入水が貯湯タンク１の上部に流入することを確実に抑制できるので、その後に給湯動作が再開されたときに、給湯温度が低下しにくくなり、給湯温度と目標値との差が大きくなることを確実に防止できる。
【００６４】
また、バイパス運転が第一のバイパス運転時間だけ実行された後の沸上運転の最中であって、当該バイパス運転の開始から経過した時間が第二のバイパス運転時間に達する前に給湯動作が停止したと仮定すると、低温流入水が貯湯タンク１の上部に溜まる可能性がある。このため、その後に給湯動作が再開されると、給湯温度が低下しやすくなり、給湯温度と目標値との差が大きくなる可能性がある。これに対し、本実施の形態であれば、給湯動作が実行中であるときに開始されたバイパス運転の後の沸上運転の最中であって、当該バイパス運転の開始から経過した時間が給湯停止監視時間（＝第二のバイパス運転時間）に達する前に給湯動作が停止した場合には、ステップＳ８からステップＳ１１の処理によってバイパス運転が再開される。これにより、低温流入水が貯湯タンク１の上部に流入することを確実に抑制できるので、その後に給湯動作が再開されたときに、給湯温度が低下しにくくなり、給湯温度と目標値との差が大きくなることを確実に防止できる。
【００６５】
制御部２４は、貯湯式給湯装置の機種構成を判断する手段を備えていてもよい。その場合、次のようにしてもよい。例えば、ヒートポンプユニット２からの出湯水を貯湯タンク１の上部に流入させる流入口と、給湯利用のために貯湯タンク１の上部から湯を取り出す取出し口が切り離されており、お互いの配管に流れる湯水が干渉しない機種構成のように、バイパス運転時間変更手段２４ａによるバイパス運転時間変更制御が不要の機種構成と判断した場合には、制御部２４は、給湯動作が実行中であるか否かにかかわらず、バイパス運転の時間を第一のバイパス運転時間に設定し、バイパス運転を実施してもよい。
【００６６】
制御部２４は、貯湯式給湯装置の運転モードを、第一の運転モードと、第一の運転モードよりも省エネルギーを優先する第二の運転モードとに切り替え可能であってもよい。例えば使用者がリモコン２５を操作することにより、第一の運転モードを設定するか第二の運転モードを設定するかを切り替え可能でもよい。第二の運転モードを以下「省エネモード」と称する。省エネモードが設定されている場合には、制御部２４は、バイパス運転時間変更制御を実施せず、給湯動作が実行中であるか否かにかかわらず、バイパス運転の時間を第一のバイパス運転時間に設定し、バイパス運転を実施してもよい。そのようにすることで、給湯温度の変動が発生する可能性はあるが、バイパス運転の時間が長くなることを確実に防止できるので、省エネルギーが図れる。
【００６７】
本実施の形態の貯湯式給湯装置は、バイパス運転時間変更制御を実施するか実施しないかを使用者が選択可能とする選択手段を備えてもよい。例えば、リモコン２５を使用者が操作することで、バイパス運転時間変更制御を実施するか実施しないかを使用者が設定可能となるように構成してもよい。これにより、使用者は、給湯温度の変動を抑制することよりも省エネルギーを優先したい場合には、バイパス運転時間変更制御を実施しないように設定することができる。
【００６８】
図３は、実施の形態１による貯湯式給湯装置の混合弁開度変更制御の制御動作を示すフローチャートである。制御部２４は、給湯動作が停止しているときに、本フローチャートの処理を実施する。図３のステップＳ１２で、混合弁開度変更手段２４ｂは、沸上運転が非実行中であるかどうかを判断する。沸上運転が非実行中である場合には、ステップＳ１５へ進み、混合弁開度変更手段２４ｂは、前回の給湯動作のときの給湯時安定開度の情報がメモリに記憶されているかどうかを判断する。給湯時安定開度の情報がメモリに記憶されている場合には、ステップＳ１６へ進み、混合弁開度変更手段２４ｂは、混合弁待機開度が給湯時安定開度に等しくなるように一般給湯側電動混合弁７に対して指令を出す。ステップＳ１６の後、本フローチャートの処理を終了する。
【００６９】
これに対し、ステップＳ１５で給湯時安定開度の情報がメモリに記憶されていない場合には、ステップＳ１７へ進み、混合弁開度変更手段２４ｂは、混合弁待機開度が、次式（１）により演算される第一待機開度に等しくなるように一般給湯側電動混合弁７に対して指令を出す。ステップＳ１７の後、本フローチャートの処理を終了する。
第一待機開度＝｛８５０／（ＴＨ−Ｔｗｍ）｝×｛｜要求湯温−Ｔｗｍ｜｝  …式（１）
【００７０】
ここで、ＴＨは、第１の温度センサ５ａにより検出されるタンク上部温度である。Ｔｗｍは、水側入口７ｂに流入する水の温度、すなわち給水温度センサ２３または第４の温度センサ５ｄにより検出される第二温水の温度である。「要求湯温」は、リモコン２５にて設定された給湯設定温度に、放熱を考慮したマージンを加えた温度であり、給湯温度の目標値に相当する。
【００７１】
一方、ステップＳ１２で沸上運転が非実行中でない場合には、混合弁開度変更手段２４ｂは、ステップＳ１３に進み、出湯切替弁２６がバイパス側すなわちｂ−ｃポート間を連通させる状態であるかどうかを判断する。出湯切替弁２６がバイパス側である場合には、ステップＳ１５へ進む。ステップＳ１５以降の処理は前述したとおりである。
【００７２】
ステップＳ１３で出湯切替弁２６がバイパス側でない場合、すなわち出湯切替弁２６がタンク上部側すなわちｂ−ｄポート間を連通させる状態である場合は、沸上運転が実行中の場合に相当する。この場合には、ステップＳ１４へ進み、混合弁開度変更手段２４ｂは、出湯温度センサ６により検出される出湯温度Ｔｗｏをタンク上部温度ＴＨと比較する。出湯温度Ｔｗｏがタンク上部温度ＴＨ未満である場合には、ステップＳ１５へ進む。ステップＳ１５以降の処理は前述したとおりである。これに対し、出湯温度Ｔｗｏがタンク上部温度ＴＨ以上である場合には、ステップＳ１８へ進み、混合弁開度変更手段２４ｂは、混合弁待機開度が、次式（２）により演算される第二待機開度に等しくなるように一般給湯側電動混合弁７に対して指令を出す。
【００７３】
第二待機開度＝｛８５０／（Ｔｗｏ−ΔＴｂ−Ｔｗｍ）｝×｛｜要求湯温−Ｔｗｍ｜｝  …式（２）
【００７４】
ここで、ΔＴｂは、ヒートポンプユニット２からの出湯水が貯湯タンク１の上部に流入するまでに配管放熱等により温度低下することを見込んで設定された配管放熱マージンである。ΔＴｂは、例えば５℃と設定してもよい。
【００７５】
ステップＳ１８からステップＳ１９へ進み、混合弁開度変更手段２４ｂは、給湯時安定開度の情報がメモリに記憶されている場合には、給湯時安定開度の情報をメモリから消去する。ステップＳ１９の後、本フローチャートの処理を終了する。
【００７６】
上述した図３のフローチャートの処理によれば、沸上運転中にタンク上部温度ＴＨよりも温度の高い高温流入水が貯湯タンク１の上部に流入した場合には、ステップＳ１８の処理により、混合弁待機開度が第二待機開度に調整される。その結果、給湯動作が開始された場合に、給湯温度が目標値よりも高くなることを確実に抑制できる。
【００７７】
また、本実施の形態では、ステップＳ１８で、出湯温度センサ６により検出される出湯温度Ｔｗｏと、給水温度センサ２３または第４の温度センサ５ｄにより検出される第二温水の温度Ｔｗｍとに基づいて混合弁待機開度を調整した場合、すなわち混合弁待機開度を第二待機開度に調整した場合には、ステップＳ１９で、混合弁開度変更手段２４ｂは、前回の給湯動作のときの給湯時安定開度の情報をメモリから消去する。これにより、以下の効果が得られる。沸上運転中にタンク上部温度ＴＨよりも温度の高い高温流入水が貯湯タンク１の上部に流入したことにより、貯湯タンク１の上部内の湯温は、前回の給湯動作のときよりも高くなっている可能性がある。このため、仮に混合弁待機開度が給湯時安定開度に等しい状態で給湯動作が開始されると、給湯温度が目標値よりも高くなる可能性がある。これに対し、本実施の形態であれば、上記のような場合には前回の給湯動作のときの給湯時安定開度の情報が消去されるので、混合弁待機開度が給湯時安定開度に等しい状態で給湯動作が開始されることを確実に防止できる。その結果、給湯温度が目標値よりも高くなることを確実に防止できる。
【００７８】
貯湯式給湯装置の機種構成を判断する手段を制御部２４が備えている場合には、次のようにしてもよい。例えば、ヒートポンプユニット２からの出湯水が、出湯切替弁２６及び中温戻し切替弁２７等を経由せずに、直接貯湯タンク１の上部に流入するような回路を有する機種構成のように、混合弁開度変更手段２４ｂによる混合弁開度変更制御が不要の機種構成と判断した場合には、制御部２４は、出湯温度Ｔｗｏにかかわらず、混合弁待機開度が、式（１）で演算される第一待機開度、もしくは給湯動作中に記憶する給湯時安定開度に等しくなるように、一般給湯側電動混合弁７を制御してもよい。
【００７９】
また、省エネモードが設定されている場合には、制御部２４は、混合弁開度変更制御を実施することなく、出湯温度Ｔｗｏにかかわらず、混合弁待機開度が、式（１）で演算される第一待機開度、もしくは給湯動作中に記憶する給湯時安定開度に等しくなるように、一般給湯側電動混合弁７を制御してもよい。そのようにすることで、一般給湯側電動混合弁７の動作頻度を低減できるので、一般給湯側電動混合弁７の電力消費を抑制でき、省エネルギーが図れる。
【００８０】
本実施の形態の貯湯式給湯装置は、混合弁開度変更制御を実施するか実施しないかを使用者が選択可能とする選択手段を備えてもよい。例えば、リモコン２５を使用者が操作することで、混合弁開度変更制御を実施するか実施しないかを使用者が設定可能となるように構成してもよい。これにより、使用者は、給湯温度の変動を抑制することよりも省エネルギーを優先したい場合には、混合弁開度変更制御を実施しないように設定することができる。
【符号の説明】
【００８１】
１  貯湯タンク、  １ａ  第一位置、  １ｂ  第二位置、  １ｃ  温水導入出口、  １ｄ  温水導入口、  ２  ヒートポンプユニット、  ４  循環ポンプ、  ５ａ  第１の温度センサ、  ５ｂ  第２の温度センサ、  ５ｃ  第３の温度センサ、  ５ｄ  第４の温度センサ、  ５ｅ  第５の温度センサ、  ５ｆ  第６の温度センサ、  ５ｇ  第７の温度センサ、  ６  出湯温度センサ、  ７  一般給湯側電動混合弁、  ７ａ  湯側入口、  ７ｂ  水側入口、  ７ｃ  湯出口、  ８  高温配管、  ９  給水管、  ９ａ  給水管、  ９ｂ  給水管、  １０  第一給湯管、  １１  風呂給湯側電動混合弁、  １１ａ  湯側入口、  １１ｂ  水側入口、  １１ｃ  湯出口、  １２  風呂側循環回路、  １３  風呂用電磁弁、  １４  風呂循環ポンプ、  １５  熱交換器、  １６  第一タンク循環配管、  １７  入水切替弁、  １８  第二給湯管、  １９  給湯用流量センサ、  ２０  給湯用温度センサ、  ２１  風呂用流量センサ、  ２２  風呂用温度センサ、  ２３  給水温度センサ、  ２４  制御部、  ２４ａ  バイパス運転時間変更手段、  ２４ｂ  混合弁開度変更手段、  ２５  リモコン、  ２５ａ  表示部、  ２６  出湯切替弁、  ２７  中温戻し切替弁、  ２８  中温取出切替弁、  ２８ａ  中温入口、  ２８ｂ  低温入口、  ２８ｃ  水出口、  ３０  中温配管、  ３１  風呂熱回収配管、  ３２  バイパス配管、  ４０  貯湯ユニット、  ４１  配管、  ４２  配管、  ４３  配管、  ４５  配管、  ４６  配管、  ４７  配管、  ４８  ＨＰ往き配管、  ４９  ＨＰ戻り配管、  ５０  第二タンク循環配管、  ５１  配管
【図１】
2019219156.tif 000003
【図２】
2019219156.tif 000004
【図３】
2019219156.tif 000005